(57)【要約】【課題】  光路規定用光学系と対物レンズとの間に収差補正素子や波長板のような光学素子を配置した場合でも、薄型化が可能な光ヘッド装置を提供すること。【解決手段】  光ヘッド装置１では、装置フレーム６と対物レンズ駆動装置５との間に装置フレーム６に対する対物レンズ駆動装置５の傾きを調整して対物レンズ４の傾角を調整するのに必要な隙間を備えており、この隙間に収差補正素子２５と１／４波長板２０とが配設されている。従って、光ヘッド装置１の薄型化が可能になる。【選択図】  図３
2006221721.tif 000002
【特許請求の範囲】
【請求項１】
光源からの出射光を光記録ディスクに収束させる対物レンズを少なくともトラッキング
方向およびフォーカシング方向に駆動する対物レンズ駆動装置と、該対物レンズ駆動装置
を上面側に保持するとともに、前記光源から前記対物レンズに向かう光路および当該対物
レンズから受光素子に向かう光路を規定する光路規定用光学系が搭載された装置フレーム
とを有する光ヘッド装置において、
前記対物レンズ駆動装置は、前記装置フレームとの間で前記光路規定用光学系からの出射光軸に対して傾角を調整する傾角調整機構を有するとともに、前記装置フレームと前記対物レンズ駆動装置との間に傾角調整用の隙間を有し、該隙間に光学素子を配設したことを特徴とする光ヘッド装置。
【請求項２】
請求項１において、前記光学素子は、前記光路規定用光学系からの出射光軸に直交する面に対して傾けて配設させたことを特徴とする光ヘッド装置。
【請求項３】
請求項１または２において、前記対物レンズ駆動装置または前記装置フレームは、前記対物レンズ駆動装置および前記装置フレームの対向面において、その一方側から他方側に向かって突出した傾角調整用の支点となる凸部を有し、該凸部が前記対向面の他方側に当接することにより、前記対向面より突出した前記光学素子が該光学素子と対向する前記対向面と離間した状態で、前記対物レンズ駆動装置が前記装置フレームに保持されていることを特徴とする光ヘッド装置。
【請求項４】
請求項３において、前記光学素子は、前記凸部の近傍側を前記対向面に対して最大に突出させ、前記光路規定用光学系からの出射光軸に直交する面に対して傾けて配設させたことを特徴とする光ヘッド装置。
【請求項５】
請求項１ないし４のいずれかにおいて、前記光学素子は、前記光記録ディスクに収束するレーザ光の収差を補正する収差補正素子または前記光路規定用光学系からの出射光の偏光方向を変換する波長板であることを特徴とする光ヘッド装置。
【請求項６】
請求項５において、前記対物レンズ駆動装置は、前記対物レンズを保持するレンズホルダと、該レンズホルダを移動可能に支持する固定側部材と、前記レンズホルダに配置された駆動コイルと、前記装置フレームに配設されたヨークに取り付けられた前記駆動コイルと対向配置された駆動マグネットとからなり、前記ヨークには前記光源からの出射光を対物レンズに導くための貫通孔を有し、該貫通孔に前記波長板を配設したことを特徴とする光ヘッド装置。
【請求項７】
請求項６において、前記凸部はヨークの一部を折曲して形成したことを特徴とする光ヘッド装置。
【請求項８】
請求項６または７において、前記波長板は、前記対物レンズ駆動装置の傾角調整範囲内のいずれの角度に調整された場合でも、前記光路規定用光学系からの出射光軸に直交する面に対して傾いた状態で搭載されていることを特徴とする光ヘッド装置。
【発明の詳細な説明】
【技術分野】
【０００１】
本発明は、ＣＤやＤＶＤ（Ｄｉｇｉｔａｌ  Ｖｅｒｓａｔｉｌｅ  Ｄｉｓｋ）などの光
記録ディスクの記録、再生に用いられる光ヘッド装置に関するものである。
【背景技術】
【０００２】
光記録ディスクの記録、再生等に用いられる光ヘッド装置は、一般に、光源からの出射
光を光記録ディスクに収束させる対物レンズを少なくともトラッキング方向およびフォー
カシング方向に駆動する対物レンズ駆動装置と、この対物レンズ駆動装置を上面側に保持
するとともに、光源から対物レンズに向かう光路および対物レンズから受光素子に向かう
光路を規定する光路規定用光学系が搭載された装置フレームとを有している。
【０００３】
このような光ヘッド装置の中には、波長板を搭載した光ヘッド装置（例えば、特許文献１、２を参照）や、光路規定用光学系全体の収差を補正する収差補正素子を搭載した光ヘッド装置（例えば、特許文献１、２、３を参照）が案出されている。
【特許文献１】特開２００３−１４１７７１号公報
【特許文献２】特開２００３−３２３７３６号公報
【特許文献３】特開２００４−１１８９３１号公報
【発明の開示】
【発明が解決しようとする課題】
【０００４】
しかしながら、収差補正素子は、光路規定用光学系全体の収差を補正するため、特許文献２、３に記載の光ヘッド装置のように光路規定用光学系と対物レンズとの間に配置されてる場合が多く、大抵の光ヘッド装置では、特許文献２のように、立ち上げミラーとしての偏光ビームスプリッタの後段に収差補正素子が配置されているため、光ヘッド装置の薄型化の妨げになるという問題がある。また、波長板は、収差補正素子の後段に配設されるため、やはり光ヘッド装置の薄型化の妨げになるという問題がある。
【０００５】
以上の問題を鑑みて、本発明の課題は、光路規定用光学系と対物レンズとの間に収差補
正素子や波長板のような光学素子を配置した場合でも、薄型化が可能な光ヘッド装置を提供することにある。
【課題を解決するための手段】
【０００６】
上記の課題を解決するために、本発明では、光源からの出射光を光記録ディスクに収束させる対物レンズを少なくともトラッキング方向およびフォーカシング方向に駆動する対物レンズ駆動装置と、該対物レンズ駆動装置を上面側に保持するとともに、前記光源から前記対物レンズに向かう光路および当該対物レンズから受光素子に向かう光路を規定する光路規定用光学系が搭載された装置フレームとを有する光ヘッド装置において、前記対物レンズ駆動装置は、前記装置フレームとの間で前記光路規定用光学系からの出射光軸に対して傾角を調整する傾角調整機構を有するとともに、前記装置フレームと前記対物レンズ駆動装置との間に傾角調整用の隙間を有し、該隙間に光学素子を配設したことを特徴とする。
【０００７】
本発明において、前記光学素子は、前記光路規定用光学系からの出射光軸に直交する面に対して傾けて配設させることが好ましい。このように構成した場合、光路規定用光学系から出射された光が光学素子で反射しても光源や受光素子に迷光として届かない。
【０００８】
本発明において、前記対物レンズ駆動装置または前記装置フレームは、前記対物レンズ駆動装置および前記装置フレームの対向面において、その一方側から他方側に向かって突出した傾角調整用の支点となる凸部を有し、該凸部が前記対向面の他方側に当接することにより、前記対向面より突出した前記光学素子が該光学素子と対向する前記対向面と離間した状態で、前記対物レンズ駆動装置が前記装置フレームに保持されていることが好ましい。このように構成すると、光学素子が対向した対向面に接触することがない。故に、傾角調整等の際、光学素子表面の傷付き防止や光学素子の脱落防止が図れる。
【０００９】
本発明において、前記光学素子は、前記凸部の近傍側を前記対向面に対して最大に突出させ、前記光路規定用光学系からの出射光軸に直交する面に対して傾けて配設させることが好ましい。光学素子は凸部の近傍側を最大に突出させているので、光学素子を傾けて配設しても傾角調整に必要な隙間の範囲内に抑えることが可能となり、光ヘッド装置の薄型化を図ることができる。
【００１０】
本発明において、前記光学素子として、例えば、前記光記録ディスクに収束するレーザ光の収差を補正する収差補正素子または前記光路規定用光学系からの出射光の偏光方向を変換する波長板が用いられる。
【００１１】
本発明において、前記対物レンズ駆動装置は、前記対物レンズを保持するレンズホルダと、該レンズホルダを移動可能に支持する固定側部材と、前記レンズホルダに配置された駆動コイルと、前記装置フレームに配設されたヨークに取り付けられた前記駆動コイルと対向配置された駆動マグネットとからなり、前記ヨークには前記光源からの出射光を対物レンズに導くための貫通孔を有し、該貫通孔に前記波長板を配設させたことが好ましい。このように構成すると、ヨークの厚みを利用して波長板を配置することができるので、対物レンズの傾角を調整するのに必要な装置フレームと対物レンズ駆動装置との隙間の範囲内に波長板を配設することができる。故に、光ヘッド装置を薄型化可能になる。なお、前記凸部はヨークの一部を折曲して形成してもよい。
【００１２】
本発明において、前記波長板は、前記対物レンズ駆動装置の傾角調整範囲内のいずれの角度に調整された場合でも、前記光路規定用光学系からの出射光軸に直交する面に対して傾いた状態で搭載されていることが好ましい。このように構成した場合、光路規定用光学系から出射された光が波長板で反射しても、光源や受光素子に迷光として届かない。
【発明の効果】
【００１３】
本発明の光ヘッド装置では、装置フレームと対物レンズ駆動装置との間に装置フレームに対する対物レンズ駆動装置の傾きを調整して対物レンズの傾角を調整するのに必要な隙間を備えており、この隙間に光学素子が配設されている。そのため、光路規定用光学系と対物レンズとの間に光学素子を配置した光ヘッド装置において、従来デットスペースになっていた傾角調整用の隙間に光学素子を配設することにより光ヘッド装置の薄型化が可能になる。
【発明を実施するための最良の形態】
【００１４】
以下に、図面を参照して、本発明の実施の形態を説明する。
【００１５】
（全体構成）
図１（ａ）、（ｂ）はそれぞれ、本発明を適用した光ヘッド装置を斜め上方からみたと
きの斜視図、および斜め下方からみたときの斜視図である。
【００１６】
図１（ａ）、（ｂ）に示す光ヘッド装置１は、ＣＤあるいはＤＶＤなどの光記録ディス
ク（図示せず）に対する情報記録、情報再生を行うものであり、光源としての第１および
第２のレーザダイオード２、３からの出射光を光記録ディスク（図示せず）に集光させる
対物レンズ４をトラッキング方向、フォーカシング方向およびチルト方向へ駆動する対物
レンズ駆動装置５と、この対物レンズ駆動装置５を上面側に保持するとともに、第１およ
び第２のレーザダイオード２、３や後述する光路規定用光学系８などが搭載された装置フ
レーム６とを有している。第１および第２のレーザダイオード２、３は、波長６５０ｎｍ
あるいは６３５ｎｍ（短波長）の第１のレーザ光を出射するＤＶＤ用のレーザダイオード
、および波長７６０〜８００ｎｍ（長波長）の第２のレーザ光を出射するＣＤ用のレーザ
ダイオードである。
【００１７】
装置フレーム６の両端部には、丸穴からなるガイド穴６１と、コの字形状に突き出した
ガイド部６２とが形成され、これらのガイド穴６１およびガイド部６２の各々に通された
ガイド軸（図示せず）に沿って、光ヘッド装置１は、光記録ディスクの半径方向に移動す
ることができる。
【００１８】
対物レンズ駆動装置５は、対物レンズ４を保持するレンズホルダ５１と、このレンズホ
ルダ５１の左右両側で上下３段に配置された６本のワイヤ５２により、レンズホルダ５１
をトラッキング方向、フォーカシング方向、およびチルト方向に変位可能に支持する固定側部材としてのホルダ支持部材５３と、このホルダ支持部材５３を固定保持するヨーク５４とを備え、このヨーク５４が装置フレーム６に取り付けられている。この状態で、対物レンズ駆動装置５は、装置フレーム６の上面側に搭載された状態にある。
【００１９】
対物レンズ駆動装置５は、レンズホルダ５１に取り付けられた駆動コイル、およびヨー
ク５４に取り付けられた駆動マグネットから構成される磁気駆動回路５５を備え、駆動コ
イルに対する通電を制御することにより、レンズホルダ５１に保持された対物レンズ４を
光記録ディスクに対してトラッキング方向、フォーカシング方向、およびチルト方向に駆
動することができる。
【００２０】
（光学系の構成）
図２（ａ）、（ｂ）はそれぞれ、図１に示す光ヘッド装置１を側面からみたときの光学
系のレイアウトを模式的に示す説明図、および光ヘッド装置１を底面からみたときの光学
系のレイアウトを模式的に示す説明図である。
【００２１】
図１（ｂ）、および図２（ａ）、（ｂ）に示すように、本形態の光ヘッド装置１では、
装置フレーム６上に、リレーレンズ１２、プリズム１５、ハーフミラー１０、コリメータ
レンズ１８、および立ち上げミラー１９によって、第１および第２のレーザダイオード２
から対物レンズ４に向かう光路および対物レンズ４から受光素子７に向かう光路を規定す
る光路規定用光学系８が搭載され、以下に詳述するように、第１のレーザダイオード２か
ら出射された第１のレーザ光、および第２のレーザダイオード３から出射された第２のレ
ーザ光はいずれも、光路合成素子としての偏光ビームスプリッタからなるプリズム１５、
および光路分離素子としてのハーフミラー１０により、光記録ディスクに向かう共通光学
経路１１に導かれ、対物レンズ４により光記録ディスクの記録面に集光する。また、光記
録ディスクで反射されたレーザ光の戻り光は、ハーフミラー１０により共通光学経路１１
から分離されて受光素子７に導かれる。
【００２２】
まず、装置フレーム６上において、第１のレーザダイオード２から光記録ディスクに向
かう光路上には、第１のグレーティングレンズ１２、リレーレンズ１３、１／２波長板１
４、プリズム１５、ハーフミラー１０、コリメータレンズ１８、および立ち上げミラー１
９がこの順に配置されている。従って、第１のレーザダイオード２から出射された第２の
レーザ光は、第１のグレーティングレンズ１２、リレーレンズ１３、および１／２波長板
１４を透過した後、プリズム１５で反射し、その一部がハーフミラー１０で部分反射した
後、コリメータレンズ１８で平行光化され、しかる後に、立ち上げミラー１９で上方に導
かれる。
【００２３】
また、第２のレーザダイオード２から光記録ディスクに向かう光路上には、第２のグレ
ーティングレンズ１６、プリズム１５、ハーフミラー１０、コリメータレンズ１８、およ
び立ち上げミラー１９がこの順に配置されている。従って、第２のレーザダイオード３か
ら出射された第１のレーザ光は、第１のグレーティングレンズ１６を透過した後、プリズ
ム１５を透過し、その一部がハーフミラー１０で部分反射した後、コリメータレンズ１８
で平行光化され、しかる後に、立ち上げミラー１９で上方に導かれる。
【００２４】
ここで、立ち上げミラー１９と、その上方に配置された対物レンズ４との間には、収差
補正素子２５、および１／４波長板２０がこの順に配置されている。従って、立ち上げミ
ラー１９で上方に導かれたレーザ光は、収差補正素子２５で収差が補正された後、１／４
波長板２０によって円偏光化され、対物レンズ４によって光記録ディスクの記録面に光ス
ポットとして集光する。その際、対物レンズ４は、対物レンズ駆動装置５によってトラッ
キング方向、フォーカシング方向、およびチルト方向の位置がサーボ制御される。
【００２５】
また、光記録ディスクで反射したレーザ光の戻り光は、上記とは反対の光路を辿り、対
物レンズ４、１／４波長板２０、収差補正素子２５、立ち上げミラー１９、コリメータレ
ンズ１８を経てハーフミラー１０に導かれ、ハーフミラー１０を透過した光は、センサー
レンズ２１を透過して受光素子７に至る。ここで、センサーレンズ２１は、双方のレーザ
光の戻り光に対して非点収差を発生させるためのレンズである。
【００２６】
（収差補正素子２５および１／４波長板２０の搭載構造）
図３は、図１に示す光ヘッド装置１において収差補正素子２５が搭載されている部分を拡大して示す断面図である。（ａ）、（ｂ）はそれぞれ、図１（ａ）のＡ−Ａ線における部分断面図、およびＢ−Ｂ線における部分断面図である。図４は、図１に示す光ヘッド装置１において対物レンズ駆動装置５を取り外した装置フレーム６の上面側を斜め上方からみたときの斜視図である。図５（ａ）、（ｂ）、（ｃ）はそれぞれ、図１に示す光ヘッド装置１において、装置フレーム６から外した対物レンズ駆動装置５の下面側を下方から見たときの説明図、斜め下方からみたときの斜視図、および（ｂ）をＣ方向からみたときの側面図である。
【００２７】
図３に示す収差補正素子２５として、本形態では、一般的な透過性液晶パネルが用いられており、収差補正素子２５は、可撓性基板２６から入力される信号によって、液晶の配向状態を領域毎に制御することができる。それ故、レーザダイオード２、３から出射されたレーザ光が上述した光路規定用光学系８を通って収差補正素子２５に入射すると、レーザ光は、収差補正素子２５によって位相変調された後、１／４波長板２０に出射される。従って、光学素子自身に起因して、あるいは光記録ディスクの厚みムラや記録層が多層に形成されていることに起因して収差の発生を避けることができなくても、レーザ光は、収差が補正された状態で１／４波長板２０に出射されるので、光記録ディスクの記録面に光スポットを良好に形成でき、光記録ディスクの情報の記録、あるいは再生を高い精度で行うことができる。なお、収差補正素子２５としては、外部からの制御などにより、レーザ光の収差を補正できるものであれば、液晶パネルに限定されるものではない。
【００２８】
本形態では、収差補正素子２５および１／４波長板２０を光ヘッド装置１に搭載するに
あたって、図２（ａ）に模式的に示すように、１／４波長板２０については、対物レンズ
駆動装置５の側に搭載されている一方、収差補正素子２５については装置フレーム６の側
に搭載されており、かかる搭載構造を以下に詳述する。
【００２９】
図２（ａ）、図３（ａ）、（ｂ）および図４に示すように、装置フレーム６には、立ち上げミラー１９から対物レンズ４に向かう光路を確保するための開口２８が貫通している。この開口２８における対物レンズ駆動装置５が搭載される上面側の開口縁には、搭載面６５よりも一段、低くなった凹部３０が形成されている。凹部３０は、収差補正素子２５を収納するため、収差補正素子２５に対応した形状とされており、凹部３０には、収差補正素子２５が、立ち上げミラー１９で反射したレーザ光の光軸と当該収差補正素子２５の中心位置とが一致するように位置調整された状態に接着固定されている。また、収差補正素子２５は、その傾角を、立ち上げミラー１９で反射してきたレーザ光の光軸に対して、約１度〜２度傾けた状態に固定されており、立ち上げミラー１９で反射してきたレーザ光が収差補正素子２５で反射しても、受光素子７やレーザダイオード２、３に迷光として届くことがない。
【００３０】
さらに、収差補正素子２５は、搭載面６５の上面側に位置する対物レンズ駆動装置５に向かって搭載面６５から突出した状態で接着固定されている。すなわち、収差補正素子２５は、その一部が凹部３０の外へはみ出して、装置フレーム６と対物レンズ駆動装置５との間の後述する傾角調整用の隙間８０に配設されている。
【００３１】
また、図２（ａ）、図３および図５に示すように、１／４波長板２０は、対物レンズ駆
動装置５の下面側に接着固定されている。すなわち、ヨーク５４の底面５６には、１／４
波長板２０を挿入可能な波長板貫通孔３２（貫通孔）が形成されており、その波長板貫通孔３２における対物レンズ４側の開口縁からは、内側に向けて一対の突起３３が突き出ている。これら突起３３に１／４波長板２０を押し当てて位置決めするとともに、支持片３３に１／４波長板２０を接着剤により固定している。また、１／４波長板２０は、その傾角を、立ち上げミラー１９で反射してきたレーザ光の光軸に対して、約３度傾けた状態に固定されている。このため、対物レンズ駆動装置５がどのように角度で傾角調整が行われた場合でも、１／４波長板２０は、立ち上げミラー１９で反射してきたレーザ光の光軸に対して所定の角度、傾いた状態に固定されることになる。従って、立ち上げミラー１９で反射してきたレーザ光が１／４波長板２０で反射しても、受光素子７やレーザダイオード２、３に迷光として届くことがない。
【００３２】
さらに、１／４波長板２０は、底面５６の下面側に位置する装置フレーム６に向かって底面５６から突出した状態で接着固定されている。すなわち、１／４波長板２０は、その一部が波長板挿入穴３２の外へはみ出して、装置フレーム６と対物レンズ駆動装置５との間の後述する傾角調整用の隙間８０に配設されている。
【００３３】
（対物レンズ駆動装置３の傾角調整）
このような構成の光ヘッド装置１を組み立てる工程において、図４に示す装置フレーム
６上に、図５に示す対物レンズ駆動装置５を搭載する際、光記録ディスクの情報の記録、
再生を正確に行うためには、対物レンズ４の光軸が光記録ディスクの記録面に対して正確
に垂直となるように、対物レンズ駆動装置５の装置フレーム６に対する傾きを調整して対
物レンズ４の傾角を調整する必要がある。このため、対物レンズ駆動装置５と装置フレー
ム６との間には、対物レンズ駆動装置５の装置フレーム６に対する傾きを調整するための
傾角調整機構９が構成されている。また、装置フレーム６と対物レンズ駆動装置５との間には、傾角調整に必要な傾角調整用の隙間８０が形成されている。
【００３４】
対物レンズ傾き調整機構９は、例えば、装置フレーム６に対して対物レンズ駆動装置５
を傾動させる際の支点となる支点部３５と、圧縮コイルばね３６と、２本の傾角調整ネジ
３７、３８とを有している。支点部３５は、対物レンズ駆動装置５においてヨーク５４の
底面５６から下側に折り曲げられた凸部３５１と、装置フレーム６の搭載面６５に形成さ
れた凹部３５２とから構成されている。圧縮コイルばね３６は、支点部３５から離れた反
対側位置で、装置フレーム４と対物レンズ駆動装置５との間に配置されており、装置フレ
ーム６の搭載面６５、およびヨーク５４の底面５６の各々に形成した受け部５４１、６５
１に両端部が保持されている。２本の傾角調整ネジ３７、３８は、対物レンズ駆動装置５
の四隅部分のうち、圧縮コイルバネ８が配置されていない対角部分において、各々のネジ
軸が装置フレーム５の裏面側から装置フレーム６に形成されたネジ挿通穴６５３、６５４
を貫通して、ヨーク１１の底面５６に形成されたネジ穴５４３、５４４にねじ込まれてい
る。従って、２本の傾角調整ネジ３７、３８の締め付け量を調整することにより、対物レ
ンズ駆動装置５の装置フレーム６に対する傾きを調整できるので、対物レンズ４の傾角を調整することができる。
【００３５】
ここで、１／４波長板２０は、その大部分がヨーク５４に開けた波長板貫通孔３２に収納され、一部のみが波長板挿入穴３２の外へはみ出して隙間８０に配設されるとともに、凸部３５１の近傍を底面５６から最大に突出させた状態に傾けて配設されている。すなわち、１／４波長板２０は、凸部３５１の先端と、この凸部が折り曲げられたヨーク５４の底面５６の反対側を結ぶ直線である図５（ｃ）のＤ−Ｄ線に略平行になるように配設されている。
【００３６】
一方、収差補正素子２５は、その大部分が装置フレーム６の載置面６５より低く形成された凹部３０に収納され、一部のみが凹部３０の外へはみ出して隙間８０に配設されるとともに、１／４波長板２０の傾きに沿って配設されることにより、収差補正素子２５と１／４波長板２０との隙間が略平行になっている。
【００３７】
（本形態の主な効果）
以上説明したように、本形態の光ヘッド装置１では、装置フレーム６と対物レンズ駆動装置５との間に装置フレーム６に対する対物レンズ駆動装置５の傾きを調整して対物レンズ４の傾角を調整するのに必要な隙間を備えており、この隙間に収差補正素子２５と１／４波長板２０とが配設されている。従って、立ち上げミラー１９と対物レンズ４との間に収差補正素子２５と１／４波長板２０を配置した光ヘッド装置において、従来、デットスペースになっていた傾角調整用の隙間８０に、収差補正素子２５と波長板２０とを配設することができ、光ヘッド装置１の薄型化が可能になる。
【００３８】
また、本形態の収差補正素子２５は、光路規定用光学系８から出射される光軸に対して、約１度〜２度傾けた状態に固定されているため、立ち上げミラー１９で反射してきたレーザ光が収差補正素子２５で反射しても、レーザダイオード２、３や受光素子７に迷光として届くことがない。また、１／４波長板２０は、光路規定用光学系８から出射される光軸に対して、約３度傾けた状態に固定されている。故に、対物レンズ駆動装置５がどのように角度で傾角調整が行われた場合でも、１／４波長板２０は、立ち上げミラー１９で反射してきたレーザ光の光軸に対して所定の角度、傾いた状態に固定されることになる。従って、立ち上げミラー１９で反射してきたレーザ光が１／４波長板２０で反射しても、レーザダイオード２、３や受光素子に迷光として届くことがない。それ故、レーザダイオード２、３がモードホップを起こすことがなく、出力が安定している。また、受光素子７において信号を確実に検出することができる。それ故、光記録ディスクの情報の記録、あるいは再生を正確に行うことができる。
【００３９】
さらに本形態では、対物レンズ駆動装置５においてヨーク５４の底面５６から下側に折り曲げられた凸部３５１を有し、該凸部３５１が装置フレーム６の搭載面６５に形成された凹部３５２に当接することにより、収差補正素子２５と１／４波長板２０とが離間した状態で、対物レンズ駆動装置５が装置フレーム６に保持されている。故に、収差補正素子２５と１／４波長板２０とが互いに接触することがない。故に、傾角調整等の際、収差補正素子２５および１／４波長板２０の傷付き防止および脱落防止が図れる。
【００４０】
さらに本形態の１／４波長板２０は、その大部分がヨーク５４に開けた波長板貫通孔３２に収納され、一部のみが波長板挿入穴３２の外へはみ出して隙間８０に配設されるとともに、凸部３５１の近傍を底面５６から最大に突出させ傾けた状態に配設されている。一方、収差補正素子２５は、その大部分が装置フレーム６の載置面６５より低く形成された凹部３０に収納され、一部のみが凹部３０の外へはみ出して隙間８０に配設されるとともに、１／４波長板２０の傾きに沿って配設されることにより、収差補正素子２５と１／４波長板２０との隙間が略平行になるようになっている。故に、凸部３５１の長さを、対物レンズ駆動装置５の装置フレーム６に対する傾きを調整して対物レンズの傾角が調整可能な隙間８０が確保できるだけの大きさに抑えることができる。従って、従来、デッドスペースになっていた傾角調整用の隙間８０の範囲内に１／４波長板２０および収差補正素子２５を配設させていることができるので、１／４波長板２０が立ち上げミラー１９と対物レンズ４の間に配設された構成であっても光ヘッド装置を薄型化することができる。よって、本形態の光ヘッド装置１によれば、薄型化が求められているノートパソコンなどへの搭載にも十分に対応できる。
【００４１】
（その他の実施の形態）
上記の実施の形態では、立ち上げミラー１９と対物レンズ４との間に収差補正素子２５および１／４波長板２０が配設されているが、これら光学素子に限定されるものではなく、各種の光学素子であってもよい。
【００４２】
また、上記の実施の形態では、対物レンズ駆動装置５においてヨーク５４の底面５６から下側に折り曲げられた凸部３５１が形成されているが、必ずしもこの構成に限定されるものではなく、凸部はヨーク以外に形成してもよい。例えば、ホルダ支持部材５３に形成してもよいし、装置フレームの載置面６５に形成してもよい。また、凸部を複数形成しても構わない。
【図面の簡単な説明】
【００４３】
【図１】（ａ）、（ｂ）はそれぞれ、本発明を適用した光ヘッド装置を斜め上方からみたときの斜視図、および斜め下方からみたときの斜視図である。
【図２】（ａ）、（ｂ）はそれぞれ、図１に示す光ヘッド装置を側面からみたときの光学系のレイアウトを模式的に示す説明図、および光ヘッド装置を底面からみたときの光学系のレイアウトを模式的に示す説明図である。
【図３】図１に示す光ヘッド装置１において収差補正素子２５が搭載されている部分を拡大して示す断面図で、（ａ）、（ｂ）はそれぞれ、図１（ａ）のＡ−Ａ線における部分断面図、およびＢ−Ｂ線における部分断面図である。
【図４】図１に示す光ヘッド装置において対物レンズ駆動装置を取り外した装置フレームの上面側を斜め上方からみたときの斜視図である。
【図５】（ａ）、（ｂ）、（ｃ）はそれぞれ、図１に示す光ヘッド装置１において、装置フレーム６から外した対物レンズ駆動装置５の下面側を下方から見たときの説明図、斜め下方からみたときの斜視図、および（ｂ）をＣ方向からみたときの側面図である。
【符号の説明】
【００４４】
１  光ヘッド装置
２  第１のレーザダイオード（第１の光源）
３  第２のレーザダイオード（第２の光源）
４  対物レンズ
５  対物レンズ駆動装置
６  装置フレーム
８  光路規定用光学系
９  傾角調整機構
１５  プリズム（光路合成素子）
２０  １／４波長板（光学素子）
２５  収差補正素子（光学素子）
３０  収差補正素子収納用の凹部
３２  波長板挿入穴
５１  レンズホルダ
５６  底面（対向面）
６５  載置面（対向面）
８０  隙間
３５１  凸部
【図１】
2006221721.tif 000003
【図２】
2006221721.tif 000004
【図３】
2006221721.tif 000005
【図４】
2006221721.tif 000006
【図５】
2006221721.tif 000007